(57)【要約】      （修正有）【課題】携帯端末を操作することなく、携帯端末で設備情報を取得することができる中央管理装置を提供する。【解決手段】中央管理装置６は、建築物に設けられた設備に関する情報である設備情報を記憶した設備情報記憶部６ａと、携帯端末１８ではない装置により特定の操作が検知された際に設備情報記憶部に記憶された設備情報を携帯端末に向けて送信する通信部６ｃと、を備えた。【選択図】図２
2020136781.tif 000002
【特許請求の範囲】
【請求項１】
建築物に設けられた設備に関する情報である設備情報を記憶した設備情報記憶部と、
携帯端末ではない装置により特定の操作が検知された際に前記設備情報記憶部に記憶された設備情報を携帯端末に向けて送信する通信部と、
を備えた中央管理装置。
【請求項２】
携帯端末からではない特定の操作を検知する保守操作検知部、
を備え、
前記通信部は、前記保守操作検知部により特定の操作が検知された際に前記設備情報記憶部に記憶された設備情報を携帯端末に向けて無線で送信する請求項１に記載の中央管理装置。
【請求項３】
前記通信部は、前記設備として設けられた空調装置を制御する空調制御装置により特定の操作が検知された際に前記設備情報記憶部に記憶された設備情報を携帯端末に向けて無線で送信する指令を前記空調制御装置に送信する請求項１に記載の中央管理装置。
【請求項４】
前記通信部は、前記設備として設けられた昇降機の昇降機制御装置に接続された昇降機操作盤により特定の操作が検知された際に前記設備情報記憶部に記憶された設備情報を携帯端末に向けて無線で送信する指令を前記昇降機操作盤に送信する請求項１に記載の中央管理装置。
【請求項５】
前記通信部は、前記設備として設けられた電気錠を制御する電気錠制御装置に接続された読取装置により特定の操作が検知された際に前記設備情報記憶部に記憶された設備情報を携帯端末に向けて無線で送信する指令を前記電気錠制御装置に送信する請求項１に記載の中央管理装置。
【請求項６】
前記通信部は、前記設備として設けられた電気錠を制御する電気錠制御装置に接続された読取装置により特定の操作が検知された際に前記設備情報記憶部に記憶された設備情報を携帯端末に向けて可視光通信で送信する指令を前記設備として設けられた照明装置を制御する照明制御装置に送信する請求項１に記載の中央管理装置。
【請求項７】
設備情報の通信は、標準化された方式で行われる請求項１から請求項６のいずれか一項に記載の中央管理装置。
【請求項８】
携帯端末からではない特定の操作が検知された際に建築物に設けられた設備に関する情報である設備情報を携帯端末に向けて送信する中央管理装置、
を備えた配信システム。
【請求項９】
前記中央管理装置は、携帯端末からではない特定の操作を検知する請求項８に記載の配信システム。
【請求項１０】
前記設備として設けられた空調装置を制御し、特定の操作を検知する空調制御装置、
を備え、
前記中央管理装置は、前記空調制御装置により特定の操作が検知された際に設備情報を携帯端末に向けて無線で送信する指令を前記空調制御装置に送信する請求項８に記載の配信システム。
【請求項１１】
前記設備として設けられた昇降機を制御する昇降機制御装置に接続された昇降機操作盤、
を備え、
前記中央管理装置は、前記昇降機操作盤により特定の操作が検知された際に設備情報を携帯端末に向けて無線で送信する指令を前記昇降機操作盤に送信する請求項８に記載の配信システム。
【請求項１２】
前記設備として設けられた電気錠を制御する電気錠制御装置に接続され、特定の操作を検知する読取装置、
を備え、
前記中央管理装置は、前記読取装置により特定の操作が検知された際に設備情報を携帯端末に向けて無線で送信する指令を前記電気錠制御装置に送信する請求項８に記載の配信システム。
【請求項１３】
前記設備として設けられた電気錠を制御する電気錠制御装置に接続され、特定の操作を検知する読取装置と、
前記設備として設けられた照明装置を制御する照明制御装置と、
を備え、
前記中央管理装置は、前記読取装置により特定の操作が検知された際に設備情報を携帯端末に向けて可視光通信で送信する指令を前記照明制御装置に送信する請求項８に記載の配信システム。
【請求項１４】
設備情報の通信は、標準化された方式で行われる請求項８から請求項１３のいずれか一項に記載の配信システム。
【請求項１５】
請求項１から請求項７のいずれか一項に記載の中央管理装置または請求項８から請求項１４のいずれか一項に記載の配信システムから送信された設備情報を蓄積するデータ蓄積部、
を備えた携帯端末。
【発明の詳細な説明】
【技術分野】
【０００１】
この発明は、設備情報の自動通信機能を備えた中央管理装置、配信システムおよび携帯端末に関する。
【背景技術】
【０００２】
特許文献１は、携帯端末を開示する。当該携帯端末によれば、建築物に設けられた設備に関する情報を中央管理装置から取得し得る。
【先行技術文献】
【特許文献】
【０００３】
【特許文献１】特開２００１−２１１２６４号公報
【発明の概要】
【発明が解決しようとする課題】
【０００４】
しかしながら、特許文献１に記載の携帯端末においては、設備情報の取得のために操作が必要となる。このため、設備情報を容易に取得することができない。
【０００５】
この発明は、上述の課題を解決するためになされた。この発明の目的は、携帯端末を操作することなく、携帯端末で設備情報を取得することができる中央管理装置、配信システムおよび携帯端末を提供することである。
【課題を解決するための手段】
【０００６】
この発明に係る中央管理装置は、建築物に設けられた設備に関する情報である設備情報を記憶した設備情報記憶部と、携帯端末ではない装置により特定の操作が検知された際に前記設備情報記憶部に記憶された設備情報を携帯端末に向けて送信する通信部と、を備えた。
【０００７】
この発明に係る配信システムは、携帯端末からではない特定の操作が検知された際に建築物に設けられた設備に関する情報である設備情報を携帯端末に向けて送信する中央管理装置、を備えた。
【０００８】
この発明に係る携帯端末は、前記中央管理装置または前記配信システムから送信された設備情報を蓄積するデータ蓄積部、を備えた。
【発明の効果】
【０００９】
この発明によれば、携帯端末ではない装置により特定の操作が検知された際、設備情報は、携帯端末に向けて送信される。このため、携帯端末を操作することなく、携帯端末で設備情報を取得することができる。
【図面の簡単な説明】
【００１０】
【図１】実施の形態１における配信システムの構成図である。
【図２】実施の形態１における配信システムによる設備情報の自動配信の第１例を説明するための図である。
【図３】実施の形態１における配信システムによる設備情報の自動配信の第２例を説明するための図である。
【図４】実施の形態１における配信システムによる設備情報の自動配信の第３例を説明するための図である。
【図５】実施の形態１における配信システムによる設備情報の自動配信の第４例を説明するための図である。
【図６】実施の形態１における配信システムによる設備情報の自動配信の第５例を説明するための図である。
【図７】実施の形態１における配信システムの中央管理装置の制御装置のハードウェア構成図である。
【発明を実施するための形態】
【００１１】
この発明を実施するための形態について添付の図面に従って説明する。なお、各図中、同一または相当する部分には同一の符号が付される。当該部分の重複説明は適宜に簡略化ないし省略される。
【００１２】
実施の形態１．
図１は実施の形態１における配信システムの構成図である。
【００１３】
図１に示されるように、配信システムは、空調サブシステム１と照明サブシステム２と昇降機サブシステム３と入退室サブシステム４とルータ５と中央管理装置６とを備える。
【００１４】
空調サブシステム１は、空調装置の室外機７と室内機８と空調制御装置９とを備える。室外機７は、居室の外部に設けられる。室内機８は、居室の内部に設けられる。空調制御装置９は、居室の付近に設けられる。
【００１５】
照明サブシステム２は、照明装置１０と照明制御装置１１とを備える。照明装置１０は、居室の内部に設けられる。照明制御装置１１は、居室の付近に設けられる。
【００１６】
昇降機サブシステム３は、昇降機操作盤１２と昇降機接続ゲートウェイ１３と昇降機制御装置１４とを備える。昇降機操作盤１２は、昇降機のかごの内部に設けられる。昇降機接続ゲートウェイ１３は、昇降機の機械室に設けられる。昇降機制御装置１４は、昇降機の機械室に設けられる。
【００１７】
入退室サブシステム４は、電気錠１５と読取装置１６と電気錠制御装置１７とを備える。電気錠１５は、居室の出入口のドアに設けられる。読取装置１６は、居室の出入口の付近に設けられる。電気錠制御装置１７は、居室の付近に設けられる。
【００１８】
ルータ５は、中央管理室の外部に設けられる。
【００１９】
中央管理装置６は、中央管理室の内部に設けられる。中央管理装置６は、建築物に設けられた様々な設備に関する設備情報を記憶する。
【００２０】
例えば、携帯端末１８は、空調サブシステム１等の保守員に携帯される。例えば、空調サブシステム１等の営業員に携帯される。例えば、携帯端末１８は、入退室サブシステム４等の業者に携帯される。携帯端末１８は、他の装置により特定の操作が検知された際に中央管理装置６から設備情報を記憶する。
【００２１】
次に、図２を用いて、システム構成情報の自動配信の第１例を説明する。
図２は実施の形態１における配信システムによる設備情報の自動配信の第１例を説明するための図である。
【００２２】
図２に示されるように、中央管理装置６は、設備情報記憶部６ａと保守操作検知部６ｂと通信部６ｃとを備える。
【００２３】
設備情報記憶部６ａは、建築物に設けられた設備の情報である設備情報を記憶し得るように説明する。例えば、設備情報記憶部６ａは、データ蓄積部とシステム構成管理部とを備える。データ蓄積部は、設備の運転情報と異常情報とを蓄積する。システム構成管理部は、下位の空調制御装置９と照明制御装置１１と昇降機制御装置１４と電気錠制御装置１７との通信によりシステム構成情報を把握し得るように設けられる。例えば、システム構成情報は、下位の空調制御装置９と照明制御装置１１と昇降機制御装置１４と電気錠制御装置１７との台数の情報を含む。例えば、システム構成情報は、下位の空調制御装置９と照明制御装置１１と昇降機制御装置１４と電気錠制御装置１７とのソフトウェアバージョンの情報を含む。
【００２４】
保守操作検知部６ｂは、携帯端末１８からではない特定の操作を検知し得るように設けられる。例えば、保守操作検知部６ｂは、メーカーログインを検知し得るように設けられる。例えば、保守操作検知部６ｂは、保守用ＵＲＬへのアクセスを検知し得るように設けられる。
【００２５】
通信部６ｃは、下位の空調制御装置９と照明制御装置１１と昇降機制御装置１４と電気錠制御装置１７と通信し得るように設けられる。通信部６ｃは、保守操作検知部６ｂにより特定の操作が検知された際に設備情報記憶部６ａに記憶された設備情報を携帯端末１８に向けて無線で送信し得るように設けられる。
【００２６】
携帯端末１８は、無線通信部１８ａとデータ蓄積部１８ｂとを備える。
【００２７】
無線通信部１８ａは、中央管理装置６の通信部６ｃから設備情報を無線で受信し得るように設けられる。データ蓄積部１８ｂは、無線通信部１８ａにより受信された設備情報を蓄積し得るように設けられる。
【００２８】
次に、図３を用いて、システム構成情報の自動配信の第２例を説明する。
図３は実施の形態１における配信システムによる設備情報の自動配信の第２例を説明するための図である。
【００２９】
図３に示されるように、空調制御装置９は、操作部９ａと保守操作検知部９ｂと有線通信部９ｃと無線通信部９ｄとを備える。
【００３０】
操作部９ａは、特定の操作を受け付け得るように設けられる。例えば、操作部９ａは、図示されないリモコンによるメンテナンスモードへの切替操作を受け付け得るように設けられる。例えば、操作部９ａは、リモコンによる空調装置の試運転の実施操作を受け付け得るように設けられる。
【００３１】
保守操作検知部９ｂは、操作部９ａにより受け付けられた特定の操作を検知し得るように設けられる。保守操作検知部９ｂは、特定の操作を検知した際に中央管理装置６に設備情報を要求し得るように設けられる。
【００３２】
有線通信部９ｃは、保守操作検知部９ｂからの要求を中央管理装置６に送信し得るように設けられる。有線通信部９ｃは、中央管理装置６が要求を受けて送信した設備情報を受信し得るように設けられる。
【００３３】
無線通信部９ｄは、有線通信部９ｃにより受信された設備情報を携帯端末１８に無線で送信し得るように設けられる。
【００３４】
携帯端末１８は、第１例と同様の機能を備える。
【００３５】
次に、図４を用いて、システム構成情報の自動配信の第３例を説明する。
図４は実施の形態１における配信システムによる設備情報の自動配信の第３例を説明するための図である。
【００３６】
図４に示されるように、昇降機操作盤１２は、操作部１２ａと保守操作検知部１２ｂと有線通信部１２ｃ無線通信部１２ｄとを備える。
【００３７】
操作部１２ａは、特定の操作を受け付けるように設けられる。例えば、操作部１２ａは、昇降機操作盤１２の解錠操作を受け付けるように設けられる。
【００３８】
保守操作検知部１２ｂは、操作部１２ａにより受け付けられた特定の操作を検知し得るように設けられる。保守操作検知部１２ｂは、特定の操作を検知した際に中央管理装置６に設備情報を要求し得るように設けられる。
【００３９】
有線通信部１２ｃは、図４においては図示されない昇降機制御装置１４と昇降機接続ゲートウェイ１３とを介して保守操作検知部１２ｂからの要求を中央管理装置６に送信し得るように設けられる。有線通信部１２ｃは、昇降機制御装置１４と昇降機接続ゲートウェイ１３とを介して中央管理装置６が要求を受けて送信した設備情報を受信し得るように設けられる。
【００４０】
無線通信部１２ｄは、有線通信部１２ｃにより受信された設備情報を携帯端末１８に無線で送信し得るように設けられる。
【００４１】
携帯端末１８は、第１例と同様の機能を備える。
【００４２】
次に、図５を用いて、システム構成情報の自動配信の第４例を説明する。
図５は実施の形態１における配信システムによる設備情報の自動配信の第４例を説明するための図である。
【００４３】
図５に示されるように、電気錠制御装置１７は、業者端末検知部１７ａと有線通信部１７ｂと無線通信部１７ｃとを備える。
【００４４】
業者端末検知部１７ａは、特定の操作を検知し得るように設けられる。例えば、業者端末検知部１７ａは、読取装置１６と業者のカードとの間のＮＦＣ通信を検知し得るように設けられる。例えば、業者端末検知部１７ａは、読取装置１６と業者のタグとの間のＢｌｕｅｔｏｏｔｈ（登録商標）通信を検知し得るように設けられる。業者端末検知部１７ａは、特定の操作を検知した際に中央管理装置６に設備情報を要求し得るように設けられる。
【００４５】
有線通信部１７ｂは、業者端末検知部からの要求を中央管理装置６に送信し得るように設けられる。有線通信部１７ｂは、中央管理装置６が要求を受けて送信した設備情報を受信し得るように設けられる。
【００４６】
無線通信部１７ｃは、有線通信部により受信された設備情報を携帯端末１８に無線で送信し得るように設けられる。
【００４７】
携帯端末１８は、第１例と同様の機能を備える。
【００４８】
次に、図６を用いて、システム構成情報の自動配信の第５例を説明する。
図６は実施の形態１における配信システムによる設備情報の自動配信の第５例を説明するための図である。
【００４９】
図６に示されるように、電気錠制御装置１７は、業者端末検知部１７ａと有線通信部１７ｂとを備える。
【００５０】
業者端末検知部１７ａは、特定の操作を検知し得るように設けられる。例えば、業者端末検知部１７ａは、読取装置１６と業者のカードとの間のＮＦＣ通信を検知し得るように設けられる。例えば、業者端末検知部１７ａは、読取装置１６と業者のタグとの間のＢｌｕｅｔｏｏｔｈ（登録商標）通信を検知し得るように設けられる。業者端末検知部は、特定の操作を検知した際に中央管理装置６に設備情報を要求し得るように設けられる。
【００５１】
有線通信部１７ｂは、業者端末検知部１７ａからの要求を中央管理装置６に送信し得るように設けられる。
【００５２】
照明制御装置１１は、有線通信部１１ａと照明制御部１１ｂとを備える。
【００５３】
有線通信部１１ａは、中央管理装置６が要求を受けて送信した設備情報を受信し得るように設けられる。
【００５４】
照明制御部１１ｂは、有線通信部１１ａにより受信された設備情報を可視光通信で照明装置１０に送信させ得るように設けられる。
【００５５】
携帯端末１８は、受光部１８ｃと可視光通信解読部１８ｄとデータ蓄積部１８ｂとを備える。
【００５６】
受光部１８ｃは、照明装置１０から可視光通信で送信された設備情報を受信し得るように設けられる。可視光通信解読部１８ｄは、受光部１８ｃにより受信された設備情報を可視光通信として解読し得るように設けられる。データ蓄積部１８ｂは、可視光通信解読部１８ｄにより解読された設備情報を蓄積し得るように設けられる。
【００５７】
以上で説明した実施の形態１によれば、携帯端末１８ではない装置により特定の操作が検知された際、設備情報は、携帯端末１８に向けて送信される。このため、携帯端末１８を操作することなく、携帯端末１８で設備情報を取得することができる。
【００５８】
例えば、第１例において、中央管理装置６は、携帯端末１８からではない特定の操作を検知した際に、設備情報を携帯端末１８に向けて送信する。このため、中央管理装置６が設けられている中央管理室の外部においても、ルータ５を介して携帯端末１８で設備情報を取得することができる。
【００５９】
例えば、第２例において、中央管理装置６は、空調制御装置９により特定の操作が検知された際に設備情報を携帯端末１８に向けて無線で送信する指令を空調制御装置９に送信する。このため、保守員が空調装置の保守作業で訪問した際に、携帯端末１８で設備情報を取得することができる。
【００６０】
例えば、第３例において、中央管理装置６は、昇降機操作盤１２により特定の操作が検知された際に設備情報を携帯端末１８に向けて無線で送信する指令を昇降機操作盤１２に送信する。保守員が昇降機の保守作業で訪問した際に、携帯端末１８で設備情報を取得することができる。
【００６１】
例えば、第４例において、中央管理装置６は、読取装置１６により特定の操作が検知された際に設備情報を携帯端末１８に向けて無線で送信する指令を電気錠制御装置１７に送信する。このため、業者が入退室サブシステム４の設定作業で訪問した際に、携帯端末１８で設備情報を取得することができる。
【００６２】
例えば、第５例において、中央管理装置６は、読取装置１６により特定の操作が検知された際に設備情報を携帯端末１８に向けて可視光通信で送信する指令を照明制御装置１１に送信する。このため、照明装置１０からの情報を受信できる距離であれば、他の設備から離れていても、携帯端末１８で設備情報を取得することができる。
【００６３】
なお、標準化された方式で設備情報を通信する仕様にすれば、配信システムを容易に設計することができる。
【００６４】
設備情報のうち、システム構成情報のみを通信の対象としてもよい。この場合、必要な情報のみを取得することができる。
【００６５】
次に、図７を用いて、中央管理装置６の例を説明する。
図７は実施の形態１における配信システムの中央管理装置の制御装置のハードウェア構成図である。
【００６６】
中央管理装置６の各機能は、処理回路により実現し得る。例えば、処理回路は、少なくとも１つのプロセッサ１００ａと少なくとも１つのメモリ１００ｂとを備える。例えば、処理回路は、少なくとも１つの専用のハードウェア２００を備える。
【００６７】
処理回路が少なくとも１つのプロセッサ１００ａと少なくとも１つのメモリ１００ｂとを備える場合、中央管理装置６の各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ１００ｂに格納される。少なくとも１つのプロセッサ１００ａは、少なくとも１つのメモリ１００ｂに記憶されたプログラムを読み出して実行することにより、中央管理装置６の各機能を実現する。少なくとも１つのプロセッサ１００ａは、中央処理装置、処理装置、演算装置、マイクロプロセッサ、マイクロコンピュータ、ＤＳＰともいう。例えば、少なくとも１つのメモリ１００ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【００６８】
処理回路が少なくとも１つの専用のハードウェア２００を備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。例えば、中央管理装置６の各機能は、それぞれ処理回路で実現される。例えば、中央管理装置６の各機能は、まとめて処理回路で実現される。
【００６９】
中央管理装置６の各機能について、一部を専用のハードウェア２００で実現し、他部をソフトウェアまたはファームウェアで実現してもよい。例えば、通信部６ｃの機能については専用のハードウェア２００としての処理回路で実現し、通信部６ｃの機能以外の機能については少なくとも１つのプロセッサ１００ａが少なくとも１つのメモリ１００ｂに格納されたプログラムを読み出して実行することにより実現してもよい。
【００７０】
このように、処理回路は、ハードウェア２００、ソフトウェア、ファームウェア、またはこれらの組み合わせで中央管理装置６の各機能を実現する。
【符号の説明】
【００７１】
１  空調サブシステム、  ２  照明サブシステム、  ３  昇降機サブシステム、  ４  入退室サブシステム、  ５  ルータ、  ６  中央管理装置、  ６ａ  設備情報記憶部、  ６ｂ  保守操作検知部、  ６ｃ  通信部、  ７  室外機、  ８  室内機、  ９  空調制御装置、  ９ａ  操作部、  ９ｂ  保守操作検知部、  ９ｃ  有線通信部、  ９ｄ  無線通信部、  １０  照明装置、  １１  照明制御装置、  １１ａ  有線通信部、  １１ｂ  照明制御部、  １２  昇降機操作盤、  １２ａ  操作部、  １２ｂ  保守操作検知部、  １２ｃ  有線通信部、  １２ｄ  無線通信部、  １３  昇降機接続ゲートウェイ、  １４  昇降機制御装置、  １５  電気錠、  １６  読取装置、  １７  電気錠制御装置、  １７ａ  業者端末検知部、  １７ｂ  有線通信部、  １７ｃ  無線通信部、  １８  携帯端末、  １８ａ  無線通信部、  １８ｂ  データ蓄積部、  １８ｃ  受光部、  １８ｄ  可視光通信解読部、  １００ａ  プロセッサ、  １００ｂ  メモリ、  ２００  ハードウェア
【図１】
2020136781.tif 000003
【図２】
2020136781.tif 000004
【図３】
2020136781.tif 000005
【図４】
2020136781.tif 000006
【図５】
2020136781.tif 000007
【図６】
2020136781.tif 000008
【図７】
2020136781.tif 000009